(57)【要約】      （修正有）【課題】熱を効率よく反射するアルミニウム箔を基材表面に被覆して成り、建築物や構造物等における遮熱効果が高い高機能型の遮蔽マットを提供する。【解決手段】不織布２、ポリエステル繊維プロピレン３、ポリエステル繊維エチレンフォーム４をそれぞれ接着して成る柔軟性と裁断加工性を有する基材５の両面に、アルミニウム箔６，６Ａを被覆接着して成る遮熱マット１を構成する。【選択図】図１
0003131958.tif 000002
【実用新案登録請求の範囲】
【請求項１】
建築や構造物の遮熱材であって、柔軟性と裁断加工性を有する基材の表面に、アルミニウム箔を被覆接着して成る構成を特徴とする高機能型遮熱マット。
【請求項２】
前記する基材の両面に、アルミニウム箔を被覆接着して成る請求項１記載の高機能型遮熱マット。
【考案の詳細な説明】
【技術分野】
【０００１】  本考案は、建築物や構造物等における遮熱効果がきわめて高い高機能型遮熱マットに関する。
【背景技術】
【０００２】  従来、建築物や構造物における断熱材や遮熱材としては、多くはグラスウール系、ロックウール系等のウール状樹脂を発泡させたり、発泡プラスチック系のボードタイプの断熱材が使用されている。【０００３】  さらに、輻射熱の反射効果を期待できるアルミニウムを蒸着したガス封入シートのような厚みのあるものを補助断熱材とするものもある。（例えば、特許文献１参照）
【特許文献１】特許出願平１１−３０１５８１公報
【考案の開示】
【考案が解決しようとする課題】
【０００４】  従来一般的な断熱材は、その断熱材の持つ熱の伝導性能によるものを利用したものであり、断熱性能を上げるには、材質を厚くするか材料の密度を変える等の方法があるが、建築物の壁厚の中で断熱材の厚みを厚くすることは物理的に限界があり、密度を変える場合はコスト面のアップや現場でのカット等の作業性が悪いなどの課題がある。【０００５】  また、これらは熱を反射するのではなく、熱を吸収しながら伝導抵抗によって室内に熱を伝えにくくするに過ぎず、短時間の使用では大きな効果を現すが、長時間での使用に至っては、冬期では冷却材料になり、暑い夏では保温材料となってしまうため、熱を外にはね返し、内側に入れないことではないなどの不便や欠点があった。【０００６】  さらに、特許出願平１１−３０１５８１公報による技術は、輻射熱の反射効果を期待できるアルミニウムを蒸着したガス封入シートのような厚みのあるものを補助断熱材として使用する場合、壁の厚みが変わらないようにするためには、壁内の柱と柱の間に施工する必要があり、間取りによっては柱と柱が様々な寸法である住宅においては現場での作業負担が大きいなどの不便や欠点がある断熱材であった。
【課題を解決するための手段】
【０００７】  本考案は上記するような断熱材の持つ不便や欠点を解消するために、請求項１においては、柔軟性と裁断加工性を有する基材の表面に、アルミニウム箔を被覆接着した遮熱マットとすることで、建物の外装材や屋根、床下等に施工した場合、アルミニウム箔面は効果的に熱を反射する遮熱効果を得られるものとする。【０００８】  請求項２においては、前記する基材の両面にアルミニウム箔を被覆接着することで、遮熱マットの表裏面問わず熱反射効果をさらに高められる高機能型の遮熱マットとする。
【考案の効果】
【０００９】  本考案による遮熱マットは、不織布と、ポリエステル繊維プロピレンとポリエステル繊維エチレンフォームそれぞれを接着して成る柔軟性と裁断加工性を有する基材の両面にアルミニウム箔を被覆した薄い遮熱マットを構成するので、現場でカットしたり、曲げたり隙間に差し入れたりして施工する作業性はきわめてよい。【００１０】  加えて、基材の片面又は両面には、反射率が９７％ときわめて高いアルミニウム箔を貼り付けているので、建物に施工した場合、外気の熱は外側に反射させ、室内の熱は輻射熱として室内に反射させるとともに、遮熱マットの基材は保温特性が高いので、従来の断熱材に比べてきわめて遮熱及び断熱効果の高い高機能型遮熱マットを提供することできる。
【考案を実施するための最良の形態】
【００１１】  本考案の遮熱マットの第１の実施形態を図１に示す一部剥離した斜視図と図３に示す施工状態の参考図で説明する。
第１の実施形態による遮熱マット１は、厚さ数ミリほどのポリエステル繊維エステルファブリック（以下、不織布と称す）等の不織布２、ポリエステル繊維プロピレン３、厚さ数ミリ程度のポリエステル繊維エチレンフォーム４それぞれを接着して成る柔軟性と裁断加工性を有する基材５の両面にアルミニウム箔６，６Ａを貼り付けて成る遮熱マット１を構成する。【００１２】  第１の実施形態による遮熱マット１の基材５は、不織布２、ポリエステル繊維プロピレン３、ポリエステル繊維エチレンフォーム４いずれも柔軟性と裁断加工性ある素材で構成され、かつ、その表裏面にはアルミニウム箔６，６Ａを貼り合わせているので、建築物の施工時における狭い隙間やコーナー部であっても曲げたり差し入れたり、構造物の形の違いにとらわれず自在にカットして容易に施工できる。【００１３】  加えて、基材５の表裏面には、きわめて熱反射効率が９７％と高いアルミニウム箔６，６Ａで被覆しているので、例えば、図３の施工例図のように、屋根７や外装材８の内側や床材９の下に、本考案の遮熱マット１を施工した場合、外気の熱はそれぞれ外側に反射し、また、内装材１０、天井材１１、床材９で構成される室内の熱は輻射熱として室内側に反射させることができる。【００１４】  次に、本考案の第２の実施形態を示す、【００１５】  前記する第１の実施形態における基材５は複数の素材で形成されるが、本実施形態においては、適度な厚の不織布２を基材５とし、その基材５の両面にアルミニウム箔６，６Ａを被覆接着して成る遮熱マット１を構成する。【００１６】  第２の実施形態による遮熱マット１は、前記第１の実施形態より基材５の数が少ないので薄く形成できるため、狭い隙間に施工するに適しており、裁断加工性はもとより施工性もよい。加えて、このタイプも両面にはアルミニウム箔６，６Ａを被覆しているので、薄くても有効に高い遮熱効果を得られる。【００１７】  本考案は以上のような構成であるが、第１の実施形態における基材５は、不織布２、ポリエステル繊維プロピレン３やポリエステル繊維エチレンフォーム４を用いているが、保温性や裁断加工性を有するものであれば他の素材でも差し支えない。また、第１及び第２の実施形態いずれも両面にアルミニウム箔６，６Ａを被覆接着しているが、片面のみでもよく、また、アルミニウム箔６の厚さは限定せず、いずれも特に限定されるものではない。
【図面の簡単な説明】
【００１８】
【図１】本考案の第１の実施形態の遮熱マットを示す一部剥離した組み合わせ斜視図である。
【図２】本考案の第２の実施形態の遮熱マットを示す一部剥離した組み合わせ斜視図である。
【図３】本考案の遮熱マットを住宅に採用した施工例図参考図である。
【符号の説明】
【００１９】  １  遮熱マット
２  不織布
３  ポリエステル繊維プロピレン
４  ポリエステル繊維エチレンフォーム
５  基材
６  アルミニウム箔
６Ａ  アルミニウム箔
７  屋根
８  外装材
９  床材
１０  内装材
１１  天井材
【図１】
0003131958.tif 000003
【図２】
0003131958.tif 000004
【図３】
0003131958.tif 000005